(57)【要約】【課題】外部からの騒音や視線の遮断性や、騒音の減音性がよく、しかも、通風性や採光性がよいベランダ構造を提供する。【解決手段】各手摺子５に、対向する側端面どうしが当接もしくは近接するルーバ７を手摺子回りに回転可能に取り付け、各ルーバ７を手摺６と平行な状態として、隣り合うルーバ７，７の側端面どうしを当接させることによって、ルーバが一列に連続して手摺と平行な壁となってこの壁によって外部からの騒音や視線を遮断し、一方、各ルーバ７を回転させて、平面視において手摺と交差させた状態とすることによって、隣り合うルーバ７，７の間が開放され、風や光を取り入れることができる。【選択図】　　　　図３
2004084419.tif 000002
【特許請求の範囲】
【請求項１】
ベランダに、上下方向または左右方向に延在する複数の支持棒が左右方向または上下方向に所定間隔で設けられ、
前記各支持棒に、それぞれルーバが支持棒回りに回転可能に取り付けられ、
左右方向または上下方向に隣り合うルーバは、それらの側端面どうしまたは上下端面どうしが当接もしくは近接可能となるように、前記支持棒に回転可能に取り付けられていることを特徴とするベランダ構造。
【請求項２】
左右方向または上下方向に隣り合う前記ルーバの互いに対向する側端面または上下端面のうち少なくともいずれか一方に、他方に密接する密接材が取り付けられていることを特徴とする請求項１に記載のベランダ構造。
【請求項３】
前記各ルーバに、これらルーバを同期して回転させる同期手段が取り付けられていることを特徴とする請求項１又は２に記載のベランダ構造。
【請求項４】
ベランダに、左右方向に延在する複数の支持棒が上下方向に所定間隔で設けられ、
前記各支持棒に、それぞれルーバが取り付けられ、
上下に隣り合うルーバ間には、隙間が設けられ、
前記ルーバの上面と下面は、これら上面側と下面側を通過する音波の位相を異ならせるような形状とされていることを特徴とするベランダ構造。
【発明の詳細な説明】
【０００１】
【発明の属する技術分野】
本発明はマンション等に設けられるベランダの構造に関するものである。
【０００２】
【従来の技術】
鉄道線路や幹線道路に近接するマンション等では、鉄道線路や幹線道路で発生する騒音がマンション内の居住空間に響き易いので、例えば窓を二重ガラスにしたり、マンションのベランダの手摺を壁で形成した手摺壁とし、この手摺壁によって騒音の一部を遮断するようにしている。
【０００３】
【発明が解決しようとする課題】
ところが、ベランダの手摺を手摺壁にすると、外部からの騒音や視線を遮断する観点からは有利である一方、外部から風や光を取り入れる際に、手摺壁が邪魔になって、不利になるという問題があった。
【０００４】
本発明は上記事情に鑑みてなされたもので、外部からの騒音や視線の遮断性や、騒音の減音性がよく、しかも、通風性や採光性がよいベランダ構造を提供することを目的としている。
【０００５】
【課題を解決するための手段】
上記目的を達成するために、請求項１に記載の発明は、例えば図１〜図４（図５、図６）に示すように、ベランダに、上下方向または左右方向に延在する複数の支持棒５（２１）が左右方向または上下方向に所定間隔で設けられ、
前記各支持棒５（２１）に、それぞれルーバ７（２２）が支持棒回りに回転可能に取り付けられ、
左右方向または上下方向に隣り合うルーバ７（２２）は、それらの側端面どうしまたは上下端面どうしが当接もしくは近接可能となるように、前記支持棒５（２１）に回転可能に取り付けられていることを特徴とする。
なお、前記ルーバ７（２２）の外側の表面に遮音材を取り付け、内側の表面に吸音材を取り付けてもよい。
【０００６】
請求項１に記載の発明によれば、外部からの騒音や視線を遮断したい場合は、左右に隣り合うルーバの側端面どうしを当接もしくは近接させ、または、上下に隣り合うルーバの上下端面どうしを当接もしくは近接させることによって、ルーバが一列に連続して壁となって閉鎖状態となる。したがって、この壁によって外部からの騒音や視線の一部を遮断できる。
一方、外部から風や光を取り入れたい場合は、前記閉鎖状態から各ルーバを回転させて、左右方向または上下方向に隣り合うルーバ間を開放した開放状態とし、このルーバ間から風や光を取り入れることができる。
また、ルーバの閉鎖状態からの回転角を調整することによって、ルーバ間に生じる開口の大きさを調整でき、これによって風や光の取り入れ量を調整できる。
【０００７】
請求項２に記載の発明は、請求項１に記載のベランダ構造において、
左右方向または上下方向に隣り合う前記ルーバ７（２２）の互いに対向する側端面または上下端面のうち少なくともいずれか一方に、他方に密接する密接材１２（２３）が取り付けられていることを特徴とする。
【０００８】
請求項２に記載の発明によれば、ルーバを閉鎖状態とした場合に、ルーバの側端面または上下端面に取り付けられている密接材が、このルーバと隣り合うルーバの側端面または上下端面に当接することによって、ルーバどうしが密接するので、ルーバどうしに隙間が生じるのを防止でき、よって、外部からの騒音や視線の遮断性がさらに高まる。
【０００９】
請求項３に記載の発明は、請求項１又は２に記載のベランダ構造において、
前記各ルーバ７に、これらルーバ７を同期して回転させる同期手段１３が取り付けられていることを特徴とする。
【００１０】
請求項３に記載の発明によれば、同期手段によって全てのルーバが同期して回転するので、ルーバによって開放状態にしたり、閉鎖状態にする操作が簡単となる。
【００１１】
請求項４に記載の発明は、例えば図７に示すように、ベランダに、左右方向に延在する複数の支持棒２１が上下方向に所定間隔で設けられ、前記各支持棒２１に、それぞれルーバ２５が取り付けられ、上下に隣り合うルーバ２５，２５間には、隙間Ｓが設けられ、
前記ルーバ２５の上面２５ｂ，２５ｃと下面２５ａは、これら上面側と下面側を通過する音波の位相を異ならせるような形状とされていることを特徴とする。
【００１２】
請求項４に記載の発明によれば、ルーバの上面と下面が、これら上面側と下面側を通過する音波の位相を異ならせるような形状とされているので、外部から侵入してルーバの上面側を通過した騒音の音波と下面側を通過した騒音の音波とが互いに干渉して減衰するので、騒音を減音できる。また、光や風はルーバ間の隙間からベランダの内側に取り入れることができる。
【００１３】
【発明の実施の形態】
以下、図面を参照して本発明の実施の形態について説明する。
（第１の実施の形態）
図１は、本発明に係るベランダ構造の第１の実施の形態を示す正面図である。図１において符号１はマンション等のベランダの床を示す。この床１の先端部には、上方に起立してなる起立部１ａが形成されており、この起立部１ａに手摺を有するフェンス２が立設されている。なお、このフェンス２はベランダの大きさに応じて所定数起立部１ａに立設されるものである。
【００１４】
フェンス２は、複数の手摺子（支持棒）５…と、これら手摺子５の上端部に支持固定された手摺６とを備えている。手摺子５は上下方向に延在するものであり、その下端部が起立部１ａに埋設されることによって、起立部１ａに支持されている。
手摺子５は、円筒または円柱状のもので、手摺６の長手方向（左右方向）に一定間隔で互いに平行に配置されている。また、手摺６は棒状のものであり、左右に配置されている。
【００１５】
各手摺子５には、手摺６の長手方向と平行な状態で側端面どうしが当接もしくは近接するルーバ７が手摺子回りに回転可能に取り付けられている。
すなわちまず、ルーバ７は略長方形板状のものであり、その側端面は表面に対して若干傾斜して形成されている。また、ルーバ７の上下の長さ（高さ）は手摺５と起立部１ａとの間の距離より若干短く設定され、幅は隣り合う手摺子５，５の中心間の距離とほぼ等しく設定されている。
【００１６】
また、ルーバ７の幅方向中央部には、図２に示すように、上下に貫通する貫通孔８が形成されている。この貫通孔８の内径は手摺子５の外径より大きくなっている。また、貫通孔８の上端開口部と下端開口部にはそれぞれ円筒状のスリーブ１０が貫通孔８と同軸にして挿入固定されている。スリーブ１０の内径は手摺子５の外径とほぼ等しいか若干大きめになっている。
一方、手摺子５の下端部には、フランジ部１１が手摺子５の外周側に突出するようにして形成されている。
【００１７】
そして、ルーバ７は、その貫通孔８に手摺子５を挿通し、この手摺子５の上端部と下端部とをそれぞれスリーブ１０，１０に軸回りに回転可能に挿通することによって、手摺子回りに回転可能に取り付けられている。また、貫通孔８の下端開口付近のルーバ７の下面は、フランジ部１１に当接され、これによって、ルーバ７は下方への抜け出が防止されている。
また、ルーバ７の右側端面には、このルーバ７と隣り合うルーバ７の左側端面に密接する密接材１２が取り付けられている。この密接材１２はルーバ７の側端面とほぼ等しい面積を有するもので、例えばゴム等によって形成されている。
【００１８】
さらに、各ルーバ７には、図２〜図４に示すように、同期手段１３が取り付けられている。この同期手段１３はルーバ７を同期して回転させるものであり、以下のように構成されている。
すなわち、ルーバ７の上方には、前後一対の連結材１４，１４が手摺６と平行に配置されている。この連結材１４としては例えば、細い鉄棒が使用される。また、連結材１４には、下方に突出するピン１５が連結材１４の長手方向に一定間隔で固定されている。隣り合うピン１５，１５の間隔は、ルーバ７の幅とほぼ等しく設定されている。
【００１９】
一方、各ルーバ７の上端面には、孔１６，１６がルーバ７の幅方向および厚さ方向に所定間隔離間して形成されている。
そして、一方の連結材１４の各ピン１５が各ルーバ７の上端面の一方の孔１６に回転自在に挿入され、他方の連結材１４の各ピン１５が各ルーバ７の上端面の他方の孔１６に回転自在に挿入されている。
また、連結材１４には、レバー１４ａが設けられており、このレバー１４ａを手で持って左右に引っ張ることによって、連結材１４が左右に移動するようになっている。
【００２０】
このような構成の同期手段１３では、レバー１４ａを手で持って左右に引っ張ると、連結材１４，１４が左右方向（手摺６の長手方向）に移動し、該連結材１４，１４の移動に伴って各ピン１５が移動するので、各ピン１５が挿入されている孔１６を有するルーバ７の幅方向端部が互いに逆方向に移動させられるので、各ルーバ７は各手摺子５回りに同期して回転するようになっている。
【００２１】
上記構成のベランダ構造では、外部からの騒音や視線を遮断したい場合、図４に示すように、各ルーバ７を手摺６の長手方向と平行な状態として、隣り合うルーバ７，７の側端面どうしを当接させる。この状態において、一方のルーバ７の側端面に取り付けられている密接材１２が他方のルーバ７の側端面に密接する。このようにして、ルーバ７…が一列に連続して手摺６と平行な壁となって閉鎖状態となる。したがって、この壁によって外部からの騒音や視線の一部を遮断できる。
また、ルーバ７，７どうしが密接するので、ルーバ７，７どうしに隙間が生じるのを防止でき、よって、外部からの騒音や視線をより確実に遮断できる。
【００２２】
一方、外部から風や光を大きく取り入れたい場合は、図３に示すように、前記閉鎖状態から各ルーバ７を回転させて、平面視において手摺６と直交させた状態とすることによって、隣り合うルーバ７，７の間が大きく開放された開放状態となる。したがって、ルーバ７，７間から風や光を大きく取り入れることができる。
また、ルーバ７，７の閉鎖状態からの回転角を調整することによって、ルーバ７，７間に生じる開口の大きさを調整でき、これによって風や光の取り入れ量を調整できる。
【００２３】
上記のように閉鎖状態から開放状態に移行する場合や、逆に開放状態から閉鎖状態に移行する場合には、レバー１４ａを左右に引っ張ると、同期手段１３の連結材１４，１４が左右方向（手摺６の長手方向）に移動する。
この場合、一方の連結材１４が左方に移動する場合は、他方の連結材１４は右方に移動する。そして、連結材１４，１４の移動に伴って各ピン１５が移動するので、各ピン１５が挿入されている孔１６を有するルーバ７の幅方向端部は互いに逆方向に移動させられる。これによって、各ルーバ７は各手摺子５回りに同期して回転するので、ルーバ７によって開放状態にしたり、閉鎖状態にする操作が簡単となる。
【００２４】
なお、本実施の形態では、同期手段１３の連結材１４を前後一対設けたが、一方だけでもよく、また連結材１４はルーバ７の下側に配置してもよい。
また、本実施の形態では、同期手段１３を設けたが、同期手段１３を設けずに、各ルーバ７をそれぞれ独立で回転させるようにしてもよく、さらには、所定枚数のルーバ７だけを同期手段１３で同期して回転させるようにしてもよい。
【００２５】
また、ルーバ７の外側の表面に遮音材を取り付けると、閉鎖状態での騒音の遮断効果が高まり、また、ルーバ７の内側の表面に吸音材を取り付けると、開放状態で外部からの騒音が吸音材によって吸音されるので、騒音を減音できるという利点がある。
さらに、本実施の形態では、隣り合うルーバ７，７の互いに対向する側端面のうち一方の側端面に密接材１２を取り付けたが、両方に取り付けてもよい。
【００２６】
（第２の実施の形態）
図５および図６は本発明の第２の実施の形態を示す図である。本実施の形態では、ベランダの床に縦フレーム２０を左右に一定間隔で立設し、隣り合う縦フレーム２０，２０間に、左右方向に延在する複数の支持棒２１を上下に一定間隔で取り付けている。なお、図５および図６では、縦フレーム２０は１本図示しているが、実際はベランダの外周に沿って複数本一定間隔で立設されている。
【００２７】
各支持棒２１にはルーバ２２が支持棒回りに回転可能に取り付けられている。なお、支持棒２１に対するルーバ２２の取り付けは、第１の実施の形態における手摺子５に対するルーバ７の取り付けと同様になっている。
また、上下方向に隣り合うルーバ２２，２２のうち、上方に位置するルーバ２２の下端面には、下方に位置するルーバ２２の上端面に密接する密接材２３が取り付けられている。この密接材２３はルーバ７の上下端面とほぼ等しい面積を有するもので、例えばゴム等によって形成されている。
さらに、図示は省略するが、各ルーバ２２には、ルーバ２２を同期して回転させる同期手段が取り付けられている。この同期手段は、第１の実施の形態における同期手段１３を縦方向にして配置したものである。つまり、連結材１４を上下に配置して、ピン１５をルーバ２２の側端面に形成された孔に回転自在に挿入したものである。
【００２８】
第２の実施の形態のベランダ構造によれば、外部からの騒音や視線を遮断したい場合、図５に示すように、上下に隣り合うルーバ２２，２２の上下端面どうしを当接させる。この状態において、上方のルーバ２２の下端面に取り付けられている密接材２３が下方のルーバ２２の上端面に密接する。このようにして、ルーバ２２…が一列に連続して壁となって閉鎖状態となる。したがって、この壁によって外部からの騒音や視線の一部を遮断できる。
また、ルーバ２２，２２どうしが密接するので、ルーバ２２，２２どうしに隙間が生じるのを防止でき、よって、外部からの騒音や視線をより確実に遮断できる。
【００２９】
一方、外部から風や光を大きく取り入れたい場合は、図６に示すように、前記閉鎖状態から各ルーバ２２を回転させて、隣り合うルーバ２２，２２の間を大きく開放した開放状態とする。したがって、ルーバ２２，２２間から風や光を大きく取り入れることができる。
また、ルーバ２２，２２の閉鎖状態からの回転角を調整することによって、ルーバ２２，２２間に生じる開口の大きさを調整でき、これによって風や光の取り入れ量を調整できる。
【００３０】
（第３の実施の形態）
図７は本発明の第３の実施の形態を示す図である。この図に示すベランダ構造では、図５および図６に示すルーバ２２に換えてルーバ２５を各支持棒２１に取り付けている。
【００３１】
第２の実施の形態ではルーバ２２は支持棒回りに回転自在であるが、第３の実施の形態ではルーバ２５は支持棒２１に固定されている。
ルーバ２５は側面視において略鈍角三角形状をなしており、上下に所定間隔で取り付けられ、ルーバ２５，２５間には隙間Ｓが形成されている。ルーバ２５は右側すなわちベランダの外側の方が上方に位置するように、水平面に対して、傾斜している。
ルーバ２５の下面はこの傾斜方向とほぼ平行な傾斜面２５ａとされており、ルーバ２５の上面は、傾斜方向の異なる二つの傾斜面２５ｂ，２５ｃで形成されている。これら傾斜面２５ｂ，２５ｃは山形となるように滑らかに接続されている。このようにルーバ２５の上下面を形成することによって音波の経路に差が生じるので、上面（傾斜面）２５ｂ，２５ｃ側と下面（傾斜面）２５ａ側を通過する音波の位相を異ならせることができる。
【００３２】
したがって、第３の実施の形態のベランダ構造によれば、外部から侵入してルーバ２５の上面２５ｂ，２５ｃ側を通過した騒音の音波Ａと下面２５ａ側を通過した騒音の音波Ｂとが互いに干渉して減衰するので、騒音を減音できる。
また、騒音の一部、特に下方からの騒音はルーバ２５の下面２５ａによって反射されるので、さらに騒音を減音できる。
一方、光や風はルーバ２５，２５間の隙間からベランダの内側に取り入れることができる。特にルーバ２５は外側の方が上になるように傾斜しているので、採光上都合がよく、下からの視線の遮断上も都合がよい。
【００３３】
なお、本実施の形態ではルーバ２５は支持棒２１に固定したが、支持棒２１回りに回転可能となるように取り付け、ルーバ２５の傾斜角を調整したり、ルーバ２５，２５間の隙間を閉塞できるようにしてもよい。この場合、ルーバ２５に上述したような同期手段を設けるのが望ましい。
【００３４】
【発明の効果】
以上説明したように、請求項１に記載の発明によれば、左右に隣り合うルーバの側端面どうしを当接もしくは近接させ、または、上下に隣り合うルーバの上下端面どうしを当接もしくは近接させることによって、ルーバが一列に連続して壁となって閉鎖状態となる。したがって、この壁によって外部からの騒音や視線の一部を遮断できる。
一方、閉鎖状態から各ルーバを回転させて、左右方向または上下方向に隣り合うルーバ間を開放した開放状態とし、このルーバ間から風や光を取り入れることができる。
また、ルーバの閉鎖状態からの回転角を調整することによって、ルーバ間に生じる開口の大きさを調整でき、これによって風や光の取り入れ量を調整できる。
【００３５】
請求項２に記載の発明によれば、閉鎖状態において、ルーバの側端面または上下端面に取り付けられている密接材が、このルーバと隣り合うルーバの側端面または上下端面に当接することによって、ルーバどうしが密接するので、ルーバどうしに隙間が生じるのを防止でき、よって、外部からの騒音や視線の遮断性がさらに高まる。
【００３６】
請求項３に記載の発明によれば、同期手段によって各ルーバが同期して回転するので、ルーバによって開放状態にしたり、閉鎖状態にする操作が簡単となる。
【００３７】
請求項４に記載の発明によれば、外部から侵入してルーバの上面側を通過した騒音の音波と下面側を通過した騒音の音波とが互いに干渉して減衰するので、騒音を減音できる。また、光や風はルーバ間の隙間から取り入れることができる。
【図面の簡単な説明】
【図１】本発明に係るベランダ構造の第１実施形態を示すもので、ベランダ構造の正面図である。
【図２】同、手摺子にルーバを取り付けた部分を示す断面図である。
【図３】同、開放状態を示す上部の斜視図である。
【図４】同、閉鎖状態を示す上部の斜視図である。
【図５】本発明に係るベランダ構造の第２実施形態を示すもので、閉鎖状態のベランダ構造の要部を示す斜視図である。
【図６】同、開放状態のベランダ構造の要部を示す斜視図である。
【図７】本発明に係るベランダ構造の第３実施形態を示すもので、ベランダ構造の要部を示す側面図である。
【符号の説明】
１　ベランダの床
５　手摺子（支持棒）
７　ルーバ
１２　密接材
１３　同期手段
２１　支持棒
２２　ルーバ
２３　密接材
２５　ルーバ
２５ａ　ルーバの下面
２５ｂ，２５ｃ　ルーバの上面
【図１】
2004084419.tif 000003
【図２】
2004084419.tif 000004
【図３】
2004084419.tif 000005
【図４】
2004084419.tif 000006
【図５】
2004084419.tif 000007
【図６】
2004084419.tif 000008
【図７】
2004084419.tif 000009